(57)【要約】【課題】光通信の送信側でＩ軸とＱ軸の間の送信スキューを精度良く補償する。【解決手段】マッハツェンダ型の変調器を有する光送信器は、前記変調器のＩ軸とＱ軸に入力される信号として同振幅かつ同じ周波数の同相または逆相のスキュー調整用の信号を生成する信号生成部と、前記信号にスキュー調整を与えるスキュー調整部と、前記変調器に光を入射する光源と、前記スキュー調整用の信号で変調されて前記変調器から出力される光をモニタするモニタ回路と、モニタ光の電力を検出する電力検出部と、前記スキュー調整部のスキュー調整量を変化させながら、前記モニタ光の平均電力が最適レベルとなるときのスキュー調整量を最適なスキュー調整値として決定する制御部と、を有する。【選択図】図４
2019004296.tif 000002
【特許請求の範囲】
【請求項１】
マッハツェンダ型の変調器を有する光送信器において、
前記変調器のＩ軸とＱ軸に入力される信号として、同振幅かつ同じ周波数の同相または逆相のスキュー調整用の信号を生成する信号生成部と、
前記スキュー調整用の信号にスキュー調整を与えるスキュー調整部と、
前記変調器に光を入射する光源と、
前記スキュー調整用の信号で変調されて前記変調器から出力される光をモニタするモニタ回路と、  
モニタ光の電力を検出する電力検出部と、
前記スキュー調整部のスキュー調整量を変化させながら、前記モニタ光の平均電力が最適レベルとなるときのスキュー調整量を最適なスキュー調整値として決定する制御部と、
を有することを特徴とする光送信器。
【請求項２】
前記信号生成部は、複数の周波数で前記スキュー調整用の信号を生成し、
前記制御部は、前記スキュー調整部のスキュー調整量を変化させながら前記複数の周波数で前記モニタ光の平均電力を取得し、前記複数の周波数のすべてで前記最適レベルとなるときのスキュー調整量を最適なスキュー調整値として決定する、
ことを特徴とする請求項１に記載の光送信器。
【請求項３】
前記変調器は、Ｉ軸変調部と、Ｑ軸変調部と、位相変調部を有し、
前記位相変調部のバイアス電圧は、入力信号を変調しない状態でＩ軸を通る光とＱ軸を通る光の位相差が最小となる点に設定されており、前記Ｉ軸変調部のバイアス電圧と前記Ｑ軸変調部のバイアス電圧は、入力信号を変調しない状態でＩ軸とＱ軸の間で光位相がπラジアン反転する点に設定されており、
前記信号生成部は、振幅と周波数が同じで互いに逆相の信号を前記スキュー調整用の信号として生成し、
前記制御部は、前記モニタ光の平均電力が最大となるときのスキュー調整量を最適なスキュー調整量として決定する、
ことを特徴とする請求項１に記載の光送信器。
【請求項４】
前記変調器は、Ｉ軸変調部と、Ｑ軸変調部と、位相変調部を有し、
前記位相変調部のバイアス電圧は、入力信号を変調しない状態でＩ軸を通る光とＱ軸を通る光の位相差が最小となる点に設定されており、前記Ｉ軸変調部のバイアス電圧と前記Ｑ軸変調部のバイアス電圧は、入力信号を変調しない状態でＩ軸とＱ軸の間で光位相が同じになる点に設定されており、
前記信号生成部は、振幅と周波数が同じ同相の信号を前記スキュー調整用の信号として生成し、
前記制御部は、前記モニタ光の平均電力が最大となるときのスキュー調整量を最適なスキュー調整量として決定する、
ことを特徴とする請求項１に記載の光送信器。
【請求項５】
前記変調器は、Ｉ軸変調部と、Ｑ軸変調部と、位相変調部を有し、
前記位相変調部のバイアス電圧は、入力信号を変調しない状態でＩ軸を通る光とＱ軸を通る光の位相差が最小となる点に設定されており、前記Ｉ軸変調部のバイアス電圧と前記Ｑ軸変調部のバイアス電圧は、入力信号を変調しない状態でＩ軸とＱ軸の間で光位相がπラジアン反転する点に設定されており、
前記信号生成部は、振幅と周波数が同じ同相の信号を前記スキュー調整用の信号として生成し、
前記制御部は、前記モニタ光の平均電力が最小となるときのスキュー調整量を最適なスキュー調整量として決定する、
ことを特徴とする請求項１に記載の光送信器。
【請求項６】
前記変調器は、Ｉ軸変調部と、Ｑ軸変調部と、位相変調部を有し、
前記位相変調部のバイアス電圧は、入力信号を変調しない状態でＩ軸を通る光とＱ軸を通る光の位相差が最小となる点に設定されており、前記Ｉ軸変調部のバイアス電圧と前記Ｑ軸変調部のバイアス電圧は、入力信号を変調しない状態でＩ軸とＱ軸の間で光位相が同じになる点に設定されており、
前記信号生成部は、振幅と周波数が同じ互いに逆相の信号を前記スキュー調整用の信号として生成し、
前記制御部は、前記モニタ光の平均電力が最小となるときのスキュー調整量を最適なスキュー調整量として決定する、
ことを特徴とする請求項１に記載の光送信器。
【請求項７】
前記制御部は、第１の周波数でスキュー調整値の候補値を決定し、前記第１の周波数以外の周波数について、前記候補値の近傍で前記モニタ光の平均電力を取得し、前記複数の周波数で最適電力値となる候補値を、最適なスキュー調整値として決定する、ことを特徴とする請求項２に記載の光送信器。
【請求項８】
前記信号生成部は、振幅と周波数の変化の仕方が同じで互いに同相または逆相となるチャープ信号を前記スキュー調整用の信号として生成し出力することを特徴とする請求項１に記載の光送信器。
【請求項９】
マッハツェンダ型の変調器を用いた光送信器のスキュー補償方法であって、
前記変調器の位相変調部のバイアス電圧を、入力信号を変調しない状態で、前記変調器のＩ軸を通る光とＱ軸を通る光の位相差が最小となる点に設定し、
前記変調器のＩ軸変調部のバイアス電圧とＱ軸変調部のバイアス電圧を、入力信号を変調しない状態でＩ軸とＱ軸の間で光位相がπラジアン反転する点に設定し、
前記変調器のＩ軸とＱ軸に、振幅と周波数が同じで互いに逆相のスキュー調整用の信号を入力し、
スキュー調整値を変化させながら前記変調器から出力されるモニタ光の電力を測定し、
前記モニタ光の平均電力が最大となるときのスキュー調整量を最適なスキュー調整量として決定する、
ことを特徴とするスキュー補償方法。
【請求項１０】
マッハツェンダ型の変調器を用いた光送信器のスキュー補償方法であって、
前記変調器の位相変調部のバイアス電圧を、入力信号を変調しない状態で、前記変調器のＩ軸を通る光とＱ軸を通る光の位相差が最小となる点に設定し、
前記変調器のＩ軸変調部のバイアス電圧とＱ軸変調部のバイアス電圧を、入力信号を変調しない状態でＩ軸とＱ軸の間で光位相が同じになる点に設定し、
前記変調器のＩ軸とＱ軸に振幅と周波数が同じ同相のスキュー調整用の信号を入力し、
スキュー調整値を変化させながら前記変調器から出力されるモニタ光の電力を測定し、
前記モニタ光の平均電力が最大となるときのスキュー調整量を最適なスキュー調整量として決定する、
ことを特徴とするスキュー補償方法。
【請求項１１】
マッハツェンダ型の変調器を用いた光送信器のスキュー補償方法であって、
前記変調器の位相変調部のバイアス電圧を、入力信号を変調しない状態で、前記変調器のＩ軸を通る光とＱ軸を通る光の位相差が最小となる点に設定し、
前記変調器のＩ軸変調部のバイアス電圧とＱ軸変調部のバイアス電圧を、入力信号を変調しない状態でＩ軸とＱ軸の間で光位相がπラジアン反転する点に設定し、
前記変調器のＩ軸とＱ軸に振幅と周波数が同じ同相のスキュー調整用の信号を入力し、
スキュー調整値を変化させながら前記変調器から出力されるモニタ光の電力を測定し、
前記モニタ光の平均電力が最小となるときのスキュー調整量を最適なスキュー調整量として決定する、
ことを特徴とするスキュー補償方法。
【請求項１２】
マッハツェンダ型の変調器を用いた光送信器のスキュー補償方法であって、
前記変調器の位相変調部のバイアス電圧を、入力信号を変調しない状態で、前記変調器のＩ軸を通る光とＱ軸を通る光の位相差が最小となる点に設定し、
前記変調器のＩ軸変調部のバイアス電圧とＱ軸変調部のバイアス電圧を、入力信号を変調しない状態でＩ軸とＱ軸の間で光位相が同じになる点に設定し、
前記変調器のＩ軸とＱ軸に、振幅と周波数が同じで互いに逆相のスキュー調整用の信号を入力し、
スキュー調整値を変化させながら前記変調器から出力されるモニタ光の電力を測定し、
前記モニタ光の平均電力が最小となるときのスキュー調整量を最適なスキュー調整量として決定する、
ことを特徴とするスキュー補償方法。
【発明の詳細な説明】
【技術分野】
【０００１】
本発明は、光送信器とスキュー補償方法に関する。
【背景技術】
【０００２】
光ネットワークでは、通信量の増大にともなって大容量化が求められている。大容量化は、ボーレートまたは変調方式の多値度を高めることで実現され得る。ボーレートは、単位時間あたりのデジタルデータの変調回数である。直交位相を用いた多値変調でボーレートを高める場合、送信器のＩ（In-phase：同相成分）軸とＱ（Quadrature：直交成分）軸の間でスキューが残っていると、信号伝送の性能が劣化し、受信側でデータ受信エラーが発生する。スキューによる受信エラーを防止するため、送信側でＩ軸とＱ軸の間のスキューを最小にする調整が行われている。
【０００３】
一般的には、スキュー補償量を調整するために、送信側でスキュー調整部の設定値を変更しながら、受信側で評価値（Ｑ値）を求め、Ｑ値が最も良くなるスキュー調整値を選択している。
【０００４】
一方、光通信装置のパターン発生器から発生されるデータ信号Ｐａ、Ｐｂのパターン幅を段階的に短くし、各パターン幅で、変調後の光信号の信号パワーＳpowerが基準値Ｔｈ以下になるまで遅延素子の遅延量を制御する構成が知られている（たとえば、特許文献１参照）。
【先行技術文献】
【特許文献】
【０００５】
【特許文献１】国際公開第２０１２／０９３４１６号
【発明の概要】
【０００６】
従来の一般的なスキュー調整方法は、受信側でＱ値を測定するため、コヒーレント受信機が必要になる。Ｑ値を測定するためには送受信間で設定情報を共有する必要がある。その後、スキュー調整の制御が行われる。Ｑ値を測定し、送信スキューの検知、送信側へのフィードバック等のコヒーレント送受信器の制御を含め一連の処理を行うため、処理量が増加し、回路構成が大きくなる。
【０００７】
本発明は、光通信の送信側でＩ軸とＱ軸の間の送信スキューを精度良く補償する技術を提供することを課題とする。
【課題を解決するための手段】
【０００８】
本発明の一態様では、マッハツェンダ型の変調器を有する光送信器は、
前記変調器のＩ軸とＱ軸に入力される信号として同振幅かつ同じ周波数の同相または逆相のスキュー調整用の信号を生成する信号生成部と、
前記スキュー調整用の信号にスキュー調整を与えるスキュー調整部と、
前記変調器に光を入射する光源と、
前記スキュー調整用の信号で変調されて前記変調器から出力される光をモニタするモニタ回路と、
モニタ光の電力を検出する電力検出部と、
前記スキュー調整部のスキュー調整量を変化させながら、前記モニタ光の平均電力が最適レベルとなるときのスキュー調整量を最適なスキュー調整値として決定する制御部と、を有する。
【発明の効果】
【０００９】
上記の構成により、光通信の送信側でＩ軸とＱ軸の間の送信スキューを精度良く補償することが可能になる。
【図面の簡単な説明】
【００１０】
【図１】実施形態の光送信器の概略図である。
【図２】スキュー調整のために生成される信号波形の例を示す図である。
【図３】スキュー調整時のバイアス電圧の設定を説明する図である。
【図４】受光素子に入射するモニタ光の波形を示す図である。
【図５】スキュー調整値が最適に設定されている場合の信号波形とモニタ光の波形を示す
【図６】スキュー調整値が最適でない場合の信号波形とモニタ光の波形を示す
【図７】スキュー調整の原理を説明する図である
【図８】異なる周波数でのスキュー調整値とモニタ光の電力の関係を示す。
【図９】光送信器の制御部の概略ブロック図である。
【図１０】制御部で実行されるスキュー補償方法のフローチャートである。
【図１１】異なる周波数でスキュー調整値を変えながら測定されたモニタ光の電力プロファイルの例を示す図である。
【図１２】スキュー調整に用いた各周波数で検知可能なスキュー量を示す図である。
【図１３】すべての周波数で最適な電力値となる点をスキュー調整値として決定する手法を説明する図である。
【図１４】変形例１のスキュー調整量の決定手法を説明する図である。
【図１５】変形例１のスキュー補償方法のフローチャートである。
【図１６】変形例２で用いられるチャープ信号の一例を示す図である。
【図１７】チャープ信号を用いる場合のスキュー補償方法のフローチャートである。
【図１８】変形例２の光送信器の構成例を示す図である。
【図１９】変形例２の制御部の構成例を示す図である。
【発明を実施するための形態】
【００１１】
実施形態では、送信側で最適なスキュー調整値を決めるために、変調器に所定のバイアス電圧を設定し、変調器のＩ軸とＱ軸に入力されるスキュー調整用の信号として、同じ振幅、同じ周波数の互いに同相または逆相の信号を用いる。スキュー調整用の信号は、一例として正弦波信号である。変調器のバイアス条件に応じて、Ｉ軸とＱ軸に同じ位相（以下「同相」とする）または位相が１８０°反転した（以下「逆相」という）スキュー調整用の信号を入力し、変調器から出力されるモニタ光の平均電力が最適レベルとなるようにスキュー補償量を決定する。
【００１２】
別の例では、変調器に入力する信号の周波数を順番に、あるいは連続的に変更して、スキュー調整に用いたすべての周波数でモニタ光の平均電力値が最適値（たとえば最大値または最小値）となるようにスキュー調整値を制御する。
【００１３】
変調器に設定されるバイアス条件と、変調器に入力されるスキュー調整用の信号の位相関係に基づいて、モニタ光の平均電力が最適レベルとなるようにスキュー調整値を制御する。これにより、スキュー調整のために、受信側からのフィードバック情報を用いずに精度良く送信スキューを補償できる。
【００１４】
図１は、実施形態の光送信器１０の概略図である。光送信器１０は光伝送システム１で用いられ、光受信器３０との間で光信号の送受信を行う。光送信器１０は、ＱＰＳＫ（Quadrature  Phase  Shift  Keying：直交位相シフトキーイング）、ＤＱＰＳＫ（Differential  Quadrature  Phase  Shift  keying：差動直交位相シフトキーイング）、ＱＡＭ（Quadrature  Amplitude  Modulation：直交振幅変調）等、直交位相を用いた変調方式を採用している。  ＱＡＭは振幅変調であるが、互いに直交する位相成分を用いるため、直交位相を用いた変調方式に含める。光送信器１０は、光受信器３０からのフィードバック情報を用いずに、Ｉ軸とＱ軸の間の送信スキューを最小に制御する。
【００１５】
光送信器１０は、信号生成部１１、スキュー調整部１２、Ｉ軸用のデジタル−アナログコンバータ（ＡＤＣ）１３、Ｑ軸用のＡＤＣ１４、光源１５、変調器１６、モニタ回路１７、電力検出部１８、及び制御部１９を有する。
【００１６】
信号生成部１１は、起動時、出荷時などの運用前の段階で、スキュー調整用のテスト信号を生成する。信号生成部１１からＩ軸用の信号とＱ軸用の信号が出力され、スキュー調整部１２に入力される。信号生成部１１は、後述するように、スキュー調整用に異なる周波数の信号、あるいは周波数が連続的に変化するチャープ信号を生成する。実際のデータ信号生成部は、スキュー調整用の信号生成部１１と別途に設けられており、スキュー調整時と運用中で、スキュー調整部１２への接続が切り替えられる構成としてもよい。
【００１７】
Ｉ軸の信号とＱ軸の信号は、スキュー調整部１２でスキュー調整を受け、対応するＤＡＣ１３及びＤＡＣ１４でアナログ信号に変換されて、変調器１６に入力される。変調器１６はマッハツェンダ型の変調器であり、Ｉ軸変調部１６１と、Ｑ軸変調部１６２と、位相変調部１６３有する。Ｉ軸変調部１６１とＱ軸変調部１６２のそれぞれは、たとえばマッハツェンダ（ＭＺ）干渉計で形成され、電気光学効果または半導体の電界吸収効果を利用して光変調を行う。
【００１８】
レーザダイオード（ＬＤ）等の光源１５から出力される光は、分岐されてＩ軸変調部１６１とＱ軸変調部１６２に導かれる。Ｉ軸変調部１６１に入射した光は、Ｉ軸変調部１６１に入力される信号を載せて伝搬する。Ｑ軸変調部１６２に入射した光は、Ｑ軸変調部１６２に入力される信号を載せて伝搬し、位相変調部１６３で所定の位相回転を受ける。
【００１９】
変調器１６のＩ軸を通った光とＱ軸を通った光は、合波されて変調器１６の出力光となる。出力光の一部は、光カプラ等の分岐部２１でスキュー調整用のモニタ光として取り出され、モニタ回路１７に供給される。モニタ回路１７は、フォトダイオード（ＰＤ）等の受光素子１７１と、ローパスフィルタ（ＬＰＦ）等の帯域制限フィルタ１７２を有する。モニタ光は、受光素子１７１で入射強度に比例した光電流に変換され、帯域制限フィルタ１７２で高周波成分が除去されて、モニタ信号として電力検出部１８に供給される。
【００２０】
受光素子１７１として、変調器１６のバイアス制御用に変調器１６内に配置されたモニタ用のＰＤや、光送信器１０の光出力電力を監視するＰＤを利用してもよいし、低速のＰＤを別途配置してもよい。
【００２１】
電力検出部１８は、モニタ信号のパワーを検出する。電力検出部１８で検出されるパワーは、スキュー調整部１２に設定された調整値に対応する電力値である。検出結果は制御部１９に供給される。
【００２２】
制御部１９は、電力検出結果から平均電力を求め、スキュー調整に用いられる複数の周波数のすべてにおいてモニタ光の電力が最適値（最小または最小）となるときのスキュー調整量を、最適なスキュー調整値として決定する。制御部１９はまた、信号生成部１１で生成されるスキュー調整用の信号のパラメータと出力タイミングを制御する。
【００２３】
スキュー調整時に、変調器１６のＩ軸変調部１６１、Ｑ軸変調部１６２、及び位相変調部１６３のバイアス電圧が所定の電圧に設定される。これらのバイアスは制御部１９によって制御されてもよいし、外部から設定されてもよい。詳細は後述するが、位相変調部１６３のバイアス電圧は、入力信号を変調しない場合に、Ｉ軸とＱ軸を伝搬する光の位相差がゼロとなるように制御されている。また、入力信号を変調しない場合に、Ｉ軸変調部１６１のバイアス電圧とＱ軸変調部１６２のバイアス電圧は、Ｉ−Ｑ間で伝搬光の振幅が同じであり光位相が反転（πラジアン回転）するように制御される。
【００２４】
スキュー調整部１２に設定される調整値は、スキュー調整用のＩ軸信号とＱ軸信号の位相に応じて、複数の周波数でモニタ光の電力を最大とする最適な値、またはモニタ光の電力を最小にする最適な値に調整される。光送信器２０の運用中は、送信されるデータ信号は最適な値に調整されたスキュー調整値によってスキュー補償されて、変調器１６に入力される。運用中は、位相変調部１６３のバイアス電圧はＩ軸とＱ軸を通る光の間に９０°の位相回転が生じるように制御される。
【００２５】
図２は、実施形態の光送信器１０の特徴のひとつである信号生成部１１で生成される信号波形を説明する図である。変調器１６に入力されるＩ軸信号とＱ軸信号は、振幅と周波数が同じ周期関数の信号である。位相はＩ軸信号とＱ軸信号の間で同相でもよいし、逆相であってもよい。図２の例(1)は、Ｉ軸信号とＱ軸信号として、同相の正弦波が用いられる例である。例(2)は、Ｉ軸信号とＱ軸信号として、位相が反転（πラジアン回転）した正弦波が用いられる例である。
【００２６】
図３は、スキュー調整時のバイアス電圧の設定例を説明する図である。図３の例では、変調器１６において、
（ａ）位相変調部１６３のバイアス電圧は、入力信号を変調しない場合に、Ｉ軸を通る光とＱ軸を通る光に光位相差を与えないように制御され、
（ｂ）Ｉ軸変調部１６１のバイアス電圧とＱ軸変調部１６２のバイアス電圧は、入力信号を変調しない場合に、Ｉ軸を通る光とＱ軸を通る光の振幅が同じであり、光位相がπ反転する点に制御されている。
【００２７】
条件（ｂ）と関連して、図３のＩ軸変調部１６１には、光振幅が大きくなる方向のバイアス電圧が印加され、Ｑ軸には、光振幅が小さくなる方向のバイアス電圧が印加されている。このバイアス設定により、Ｉ軸を通る光とＱ軸を通る光の間にπラジアンの位相差が与えられる。
【００２８】
スキュー調整用の信号として、振幅及び周波数が同じ、かつ同相のＩ軸信号とＱ軸信号が変調器１６に入力される場合を考える。Ｉ軸信号とＱ軸信号を載せた光は、Ｉ軸変調部１６２とＱ軸変調部１６３を伝搬したことで、位相が１８０°反転し、互いに打ち消し合う。条件（ａ）により、入力信号を変調しない状態でＩ軸とＱ軸の間の位相差はゼロに制御されているので、変調器１６からの光出力は最小となる。この場合は、モニタ信号の平均電力が最小となるときが、入力信号間のスキューが最適な状態である。
【００２９】
逆に、Ｉ軸変調部１６１とＱ軸変調部１６２に、振幅と周波数が同じで、光位相がπ反転したテスト信号が入力される場合は、Ｉ軸変調部１６１を出た光と、Ｑ軸変調部１６２を出た光は同相となり、合波された時点で振幅が２倍になる。この場合は、モニタ信号の平均電力が最大となるときが、入力信号間のスキューが最適な状態である。
【００３０】
図４は、受光素子１７１に入射するモニタ光の波形を示す。波形図の横軸は時間、縦軸は強度である。スキュー調整用の信号として例えば正弦波が変調器１６に入力され、変調器１６のバイアス設定によって変調器１６から強度が２倍になった光信号が出力される。この出力光の強度変化の中心が、平均電力値に対応する。
【００３１】
図５は、送信スキューの決定方法を説明する図である。図５の（Ａ）の例では、信号生成部１１から出力されるＩ軸信号とＱ軸信号は、位相がπラジアン回転された正弦波（のデジタルサンプリング信号）である。図３を参照して説明したバイアス条件（ａ)と（ｂ）により、Ｉ軸変調部１６１とＱ軸変調部１６２でＩ軸信号を載せた光とＱ軸信号を載せた光の間にπラジアンの位相差が与えられ、Ｉ軸を通る光とＱ軸を通る光が強め合う。位相変調部１６３の位相回転量はゼロなので、変調器１６からは振幅が２倍になった光が出力される。
【００３２】
図５の（Ｂ）に示すように、モニタ光の平均電力が最大となるときが、電力検出部１８に入力される信号に含まれるスキュー量が最小となる。この状態は、Ｉ軸とＱ軸の間で発生する送信スキュー量と、スキュー調整部１２であらかじめ付加されたスキュー調整値が相殺されている状態である。電力検出部１８でモニタ信号の電力値を求めて制御部１９に供給し、制御部１９は、複数の周波数でモニタ光の電力が最大となるときのスキュー調整値を、ターゲットの調整値として決定する。
【００３３】
図６は、図５と同じ信号条件、同じバイアス条件で、スキュー調整値が最適でない場合を示す。スキュー調整用のＩ軸信号とＱ軸信号は、位相がπ回転した正弦波である。スキュー調整部１２によるスキュー調整値の付与と、Ｉ−Ｑ間で生じる送信スキューにより、変調器１６で合波された信号に周期の−１/２に近い量の位相差が生じている。この場合、モニタ光の平均電力値は、（Ｂ）に示すように低減する。
【００３４】
図５と図６から、バイアス条件が上述した条件（ａ）と条件（ｂ）であり、スキュー調整用の信号として互いに逆相の信号が入力される場合は、モニタ光の平均電力値が最大になるようにスキュー調整値を制御する。これにより、スキュー調整部１２に最適なスキュー調整値を設定することができる。
【００３５】
スキュー調整値の制御パターンは、変調器１６のバイアス条件の設定の仕方と、スキュー調整用のテスト信号の位相に応じて、次の４通りが考えられる。
【００３６】
制御パターン１は、（ａ）スキュー調整時に位相変調部１６３のバイアス電圧がＩ−Ｑ間の光位相差がゼロになるように制御され、（ｂ）Ｉ軸バイアスとＱ軸バイアスはＩ−Ｑ間にπの光位相差が与えられるように制御され、（ｃ）Ｉ軸とＱ軸で逆相のテスト信号が入力されるときの制御である。この場合は、スキュー調整値は、変調器１６の出力光の平均電力値が最大になるように制御される。
【００３７】
制御パターン２は、（ａ）位相変調部１６３のバイアス電圧がＩ−Ｑ間の光位相差がゼロになるように制御され、（ｂ）Ｉ軸バイアスとＱ軸バイアスはＩ−Ｑ間に光位相差が生じないように制御され、（ｃ）Ｉ軸とＱ軸で同相のテスト信号が入力されるときの制御である。この場合も、同相の信号が互いに強め合って、変調器１６の出力光の強度は大きくなる。スキュー調整値は、変調器１６の出力光の平均電力値が最大になるように制御される。
【００３８】
制御パターン３は、バイアス条件が制御パターン１と同じで、入力されるテスト信号が同相の場合である。（ａ）位相変調部１６３のバイアス電圧がＩ−Ｑ間の光位相差がゼロになるように制御され、（ｂ）Ｉ軸バイアスとＱ軸バイアスはＩ−Ｑ間にπの光位相差が与えられるように制御され、（ｃ）Ｉ軸とＱ軸で同相のテスト信号が入力される。この場合は、Ｉ軸変調部１６１とＱ軸変調部１６２に入力されるテスト信号は互いに打ち消し合う。スキュー調整値は、変調器１６の出力光の平均電力値が最小になるように制御される。
【００３９】
制御パターン４は、バイアス条件が制御パターン２と同じで、入力されるテスト信号が逆相の場合である。（ａ）位相変調部１６３のバイアス電圧はＩ−Ｑ間の光位相差がゼロになるように制御され、（ｂ）Ｉ軸バイアスとＱ軸バイアスはＩ−Ｑ間に光位相差が生じないように制御され、（ｃ）Ｉ軸とＱ軸で逆相のテスト信号が入力される。この場合は、互いに逆相のテスト信号が打ち消し合って、変調器１６の出力光の強度が小さくなる。スキュー調整値は変調器１６の出力光の平均電力値が最小になるように制御される。
【００４０】
制御部１９は、スキュー調整時のバイアス条件の設定と、信号生成部１１で生成されるスキュー調整用のＩ軸信号とＱ軸信号の位相関係に応じた制御パターンで、スキュー調整値を制御する。
【００４１】
図７は、スキュー調整の原理を説明する図である。前提として、制御パターン１のバイアス条件と入力信号の位相関係が設定されているものとする。スキュー調整用のＩ軸信号とＱ軸信号は、同じ周波数、同じ振幅の互いに１８０°位相のずれた信号とする。スキュー調整部１２に設定されている調整値を変更しながら、電力検出部１８でモニタ光の電力を検出する。モニタ光の電力は、たとえば基準値からの変動量として測定されてもよい。スキュー調整量（ピコ秒）を変化させていくと、モニタ光の時間平均電力が変化する。モニタ光の時間平均電力は、スキュー（タイミングずれ）の量によって周期的に変化する。スキューが最小のとき、すなわち、Ｉ軸とＱ軸の間の送信スキューがスキュー調整量によって正しく補償されているときには、この例では時間平均電力値が最大となる。
【００４２】
スキュー調整用の信号に単一の周波数を用いる場合は、図５および図６を参照して説明したように、変調器１６のバイアス設定条件と入力信号の位相関係とに応じて、モニタ光の平均電力が最大、または最小となるようにスキュー補償を行えばよい。この場合は、スキュー調整用の信号の周波数をスキュー調整が精度良く行われる周波数に設定するのが望ましい。
【００４３】
信号生成部１１で生成されるテスト信号の周波数を高めると、送信スキュー制御の精度を高くすることができるが、検知できる送信スキュー量の幅が狭くなる。信号生成部１１で生成されるテスト信号の周波数を低くすると、送信スキュー制御の精度が低くなるが、検知できる送信スキュー量の幅が広くなる。
【００４４】
図８は、異なる周波数について、スキュー調整値とモニタ光の電力の関係を示す。ここでいう電力は平均電力とする。図８の（Ａ）はテスト信号の周波数が高い場合の電力検出部１８の測定結果、（Ｂ）はテスト信号の周波数が低い場合の電力検出部１８の測定結果である。テスト信号の周波数が高い場合はピークが急峻であり、モニタ光の電力値が最大となるときのスキュー調整値を正確に特定することができる。しかし、検知できる送信スキュー量の幅は、（Ａ）の例で６０〜７０ｐｓの範囲である。テスト信号の周波数が低いとピークが鈍り、モニタ光の電力値が最大となるときのスキュー調整値の特定が困難になる。しかし、検知できる送信スキュー量の幅は、（Ｂ）の例で２５０ｐｓに広がる。
【００４５】
そこで、第1の実施形態として、スキュー調整値の精度を高めるため、周波数の異なるテスト信号を使用し、使用したすべての周波数でモニタ光の電力値が最大となるように、あるいはバイアス条件と入力信号の位相条件によっては、モニタ光の電力値が最小に近づくように、スキュー調整値を制御する。
【００４６】
図９は、光送信器１０の制御部１９の概略ブロック図である。制御部１９は、全体制御部１９１と、スキュー調整値設定・変更部１９２と、送信周波数設定部１９３と、最終スキュー調整値決定部１９４と、スキュー調整一覧１９５と、送信周波数一覧１９６と、を有する。全体制御部１９１、スキュー調整値設定・変更部１９２、送信周波数設定部１９３、及び最終スキュー調整値決定部１９４は、ＦＰＧＡ（Field  Programmable  Gate  Array）等のロジックデバイスやマイクロプロセッサで実現される。スキュー調整一覧１９５と送信周波数一覧１９６はメモリで実現される。
【００４７】
全体制御部１９１は、制御部１９内の各構成要素の動作と、光送信器１０の全体動作を制御する。スキュー調整値設定・変更部１９２は、スキュー調整時にスキュー調整一覧１９５を参照して、スキュー調整部１２にスキュー調整の初期値を設定し、所定のスキュー範囲でスキュー調整値を変化させる。スキュー調整値設定・変更部１９２は、全体制御部１９１からのスキュー調整値の設定・変更指示に応答して、スキュー範囲内でスキュー調整値を変更し、全範囲でスキュー調整値の変更が完了したら、スキュー調整値完了通知を全体制御部１９１に出力する。最終スキュー調整値決定部１９４によって最終的に最適なスキュー調整値が決定されたときは、スキュー調整値設定・変更部１９２は、全体制御部１９１の制御の下に、決定されたスキュー調整値をスキュー調整部１２に設定する。
【００４８】
スキュー調整一覧１９５は、スキュー調整情報を記憶する。スキュー調整情報には、スキュー調整部に設定するための情報が含まれている。スキュー調整部に設定するための情報は、周波数ごとのスキュー調整値、スキュー調整量の最大値と最小値及びスキュー調整値を変化させるステップサイズ等の情報の形で記録されていてもよい。
【００４９】
送信周波数設定部１９３は、送信周波数一覧１９６を参照して、スキュー調整用の信号の周波数を順次選択して、信号生成部１１に周波数を通知する。全体制御部１９１からの周波数変更指示に応答して、信号生成部１１に設定する周波数を変更し、周波数の変更が完了すると、周波数変更完了通知を全体制御部１９１に出力する。
【００５０】
送信周波数一覧１９６は、スキュー調整に用いるテスト信号の周波数の一覧を有する。たとえば、２ＧＨｚ、４ＧＨｚ、８ＧＨｚ、１６ＧＨｚといった周波数のリストを記憶する。
【００５１】
最終スキュー調整値決定部１９４は、スキュー調整値設定・変更部１９２から現在のスキュー調整値の情報を受け取り、電力検出部１８から、そのスキュー調整値でのモニタ光の電力測定値を取得する。また、送信周波数設定部１９３から現在設定されている周波数情報を受け取る。これらの情報に基づいて、周波数ごとに、スキュー調整値を変化させながら測定されたモニタ光の電力情報を生成する。全体制御部１９１から、すべての周波数での測定完了通知を受け取ったなら、スキュー調整部１２に設定すべき最適なスキュー調整値を最終的に決定する。最適なスキュー調整値は、複数の周波数のすべてでモニタ光の電力値が最適値となるときのスキュー調整量である。
【００５２】
電力検出部１８は、たとえば一定時間モニタ回路１７からの出力されるモニタ信号の平均電力の値が安定した場合に、電力測定完了通知を全体制御部１９１に出力する。全体制御部１９１は、電力測定完了通知に基づいて、測定完了通知を最終スキュー調整値決定部１９４に出力する。
【００５３】
図１０は、制御部１９で実行される制御処理のフローチャートである。光送信器１０の起動時など、運用前の段階でスキュー調整が開始される。まず、スキュー調整部１２のスキュー調整値が初期値に設定され（Ｓ１１）、設定されたスキュー調整値でモニタ光の電力値が求められる（Ｓ１２）。スキュー調整値の初期値はスキュー調整範囲の最小値でもよいし、最大値でもよいし、０［ｐｓ］であってもよい。
【００５４】
スキュー調整範囲のすべてのスキュー調整値でモニタ光の電力値が検出されたか否かが判断される（Ｓ１３）。他に測定すべきスキュー調整値が残っている場合は（Ｓ１３でＮＯ）、所定のステップサイズでスキュー調整値を変更し（Ｓ１４）、Ｓ１２に戻って電力値を測定する。すべてのスキュー調整値での測定が終わるまで、ステップＳ１２〜Ｓ１４を繰り返す。
【００５５】
スキュー調整の全範囲で測定が終わると（Ｓ１３でＹＥＳ）、スキュー調整に用いられるすべての周波数でモニタ光の測定が行われたか否かが判断される（Ｓ１５）。他に測定すべき周波数が有る場合は（Ｓ１５でＮＯ）、周波数を変更して（Ｓ１６）、ステップＳ１１に戻る。新たに設定された周波数で、ステップＳ１１〜１５を繰り返す。
【００５６】
スキュー調整用のすべての周波数で、スキュー調整値を変えながら電力測定が完了したならば（Ｓ１５でＹＥＳ）、すべての周波数で最適電力値になるときのスキュー調整値を最適なスキュー調整値に決定し（Ｓ１７）、処理を終了する。
【００５７】
最適電力値は、たとえば、Ｉ軸とＱ軸で逆相のテスト信号が入力され、変調器１６のバイアス電圧がＩ軸とＱ軸間にπの位相差が与えられるように設定されている場合は、モニモニタ光の電力が最大となる電力値である。また、同じバイアス条件でＩ軸とＱ軸で同相のテスト信号が入力される場合は、モニタ光の電力が最小になる電力値である。
【００５８】
決定されたスキュー調整値は、最終的にスキュー調整部１２に設定され、光送信器１０の運用中にスキュー補償に用いられる。
【００５９】
図１１は、スキュー調整の制御フローで、複数の周波数で測定されたモニタ光の電力プロファイルの例を示す。テスト信号の周波数を第１の周波数ｆ１、第２の周波数ｆ２、第３の周波数ｆ３と変更すると、測定される電力変動の周期も変化する。テスト信号の周波数が高くなると（ｆ１＜ｆ２＜ｆ３）、スキュー調整範囲内に現れるピークの数が増える。また、周波数によって、検知可能なスキュー量の範囲も変わってくる。
【００６０】
図１２は、スキュー調整用のテスト信号の周波数と、検知可能なスキュー量の対応関係を示す。たとえば、１６ＧＨｚの周波数では、およそ±３１ｐｓの範囲をスイープすることで、ピーク電力が観測されるスキュー遅延量を特定することができる。この周波数は図１１（Ｃ）のｆ３に対応する。８ＧＨｚの周波数では、およそ±６２ｐｓの範囲をスイープすることで、ピーク電力が観測されるスキュー遅延量を特定することができる。４ＧＨｚの周波数では、±１２５ｐｓの範囲をスイープすることで、ピーク電力が観測されるスキュー遅延量を特定することができる。この周波数は図１１（Ｂ）のｆ２に対応する。２ＧＨｚの周波数では、±２５０ｐｓの範囲をスイープすることでピーク電力が観測されるスキュー遅延量を特定することができる。この周波数は図１１（Ａ）のｆ１に対応する。
【００６１】
図１３は、スキュー調整に用いられるすべての周波数で電力値が最適となる点を最適なスキュー調整値として決定する手法を説明する図である。Ｉ軸とＱ軸に入力されるテスト信号は振幅と周波数が同じ信号である。図１３の例では、発生し得る送信スキューの最大範囲は±２００［ｐｓ］と仮定し、スキュー調整値が最適なときに最大の電力値を持つように設計されている。具体的には、変調器１６のＩ軸とＱ軸の間でπの光位回転が与えられるようにバイアス値が設定され、テスト信号として互いに逆相の信号が変調器１６に入力される（制御パターン１）。あるいは、変調器１６にＩ軸とＱ軸を通る光波の間に位相差が生じないバイアス電圧を設定して、振幅と周波数が同じ同相のテスト信号を入力してもよい（制御パターン２）。
【００６２】
それぞれの周波数でスキュー調整値を変更しながらモニタ光の電力を求めた結果、すべての周波数で電力値が最大になるのはスキュー調整値が１５［ｐｓ］のときである。これは、光送信器１０で発生する送信スキュー量が−１５ｐｓであることを意味する。この送信スキューを補償するために、スキュー調整部１２に１５［ｐｓ］のスキュー調整量が設定される。この方法により、受信側からの情報を用いなくても、送信側で最適なスキュー補償量を設定することができる。
【００６３】
＜変形例１＞
図１４は、スキュー補償方法の変形例１を説明する図である。上述した実施形態では各周波数でスキュー調整値をスキュー範囲の全体にわたってスイープしていたが、変形例１では、スキュー調整値の候補を選択し、候補値の近傍でのみモニタ光の電力を測定する。これにより、スキュー調整値を変更する区間と回数を削減することができる。  
まず、図１４（Ａ）に示すように、ある周波数で少なくとも一周期の区間にわたって、スキュー調整値を変えながらモニタ光の電力値を求め、電力が最適となる（たとえば最大となる）スキュー調整値を少なくとも１点求める。スキュー調整値とモニタ光の強度との周期的な関係から、周期がわかれば他の最適点（たとえば最大電力となる点）が推定される。図１４（Ａ）の例では、２周期の区間をスキューして電力が最大となる点を二点求めている。候補決定用の最初の周波数としては、スキューに用いる複数の周波数の中で最も高い周波数を用いるのが望ましい
図１４（Ｂ）で、電力プロファイルの周期性から、電力が最大となる他の候補点（スキュー調整値）を特定する。図中、追加された候補点は白丸で示されている。
【００６４】
図１４（Ｃ）で、各候補点とその近傍で、他の周波数について、モニタ光の電力を求める。スキュー調整に用いるすべての周波数で電力が最大となるスキュー調整値を、スキュー調整部１２に設定する最終的なスキュー調整値として決定する。
【００６５】
この方法では、最適電力値となる候補のスキュー調整値の近傍だけでスキュー調整値を変更しながらモニタ光の電力を求めればよいので、スキュー調整値の決定時間と処理量を低減することができる。
【００６６】
図１５は、変形例１のフローチャートである。起動時等の運用前の段階でスキュー調整が開始されると、ある周波数でスキュー補償量（スキュー調整値）の候補を決定する（Ｓ２１）。選択した周波数について、少なくともモニタ光の電力プロファイルの一周期にわたる区間でスキュー調整値を変えながらモニタ光の電力を測定し、電力が最適（たとえば最大）になる点を少なくとも１点、候補として求める。スキュー調整値とモニタ光電力との関係の周期性に基づいて、求めた候補点から所定間隔にある点をスキュー調整値の候補とする。最初の周波数は、複数の周波数の中で最も高い周波数を用いるのが望ましい。
【００６７】
最初の候補（スキュー遅延値）とその近傍でのみ、各周波数のモニタ光の電力を測定する（Ｓ２２）。スキュー調整に用いられるすべての周波数で電力測定が行われたか否かが判断される（Ｓ２３）。他に測定すべき周波数が残っている場合は（Ｓ２３でＮＯ）、周波数を次の周波数に変更し（Ｓ２４）、現在の候補点ですべての周波数について電力測定が終わるまでステップＳ２２とＳ２３を繰り返す。
【００６８】
現在の候補点ですべての周波数について電力測定が終わると（Ｓ２３でＹＥＳ）、すべての候補について各周波数の電力測定が行われたか否かが判断される（Ｓ２５）。他に候補が残っている場合は（Ｓ２５でＮＯ）、すべての候補点での電力測定が終わるまで、ステップＳ２２〜Ｓ２６を繰り返す。
【００６９】
すべての候補について、各周波数での電力測定が完了した場合は（Ｓ２５でＹＥＳ）、すべての周波数で最適電力となる候補点を、最終的なスキュー調整値として決定し（Ｓ２７）、処理を終了する。
【００７０】
この方法は、スキュー調整時間と処理量が少ない点で有利である。
【００７１】
＜変形例２＞
図１６は、実施形態の変形例２として、周波数が連続的に変化するチャープ信号を用いる例を示す。チャープ信号は、時間とともに周波数が増加または減少する信号である。周波数は時間に対してリニアに変化してもよいし、指数関数的に変化してもよい。正弦波をチャープさせた信号は、位相の正弦関数となる。時間軸に沿って周波数が変化するため、周波数を順次切り替えてスキュー補償量を調整する場合と同じ効果を得ることができる。信号生成部１１から、所定時間チャープ信号を繰り返し出力することで、周波数の変更処理を行わなくても、複数の周波数でモニタ光の電力を測定した結果と同じ効果を得ることができる。  図１７は、変形例２の処理フローである。まず、スキュー調整値を初期値に設定する（Ｓ３１）。変調器１６にＩ軸用のチャープ信号とＱ軸用のチャープ信号を入力し、モニタ光の電力を測定する（Ｓ３２）。この間、チャープ信号は繰り返し出力されており安定した電力測定値が得られるまで、スキュー調整値は固定されている。安定するまでの時間は、チャープ信号の周波数の時間変化の割合及び測定したい周波数帯域などにより変化する。
【００７２】
次に、所定のスキュー調整範囲内のすべてのスキュー調整値でモニタ光の電力を求めたか否かを判断する（Ｓ３３）。電力測定を行うべきスキュー調整値が残っている場合は（Ｓ３３でＮＯ）、スキュー調整値を変更してステップＳ３２に戻り、すべてのスキュー調整値でモニタ光の電力が検出されるまで、Ｓ３２〜Ｓ３４を繰り返す。
【００７３】
すべてのスキュー調整値でモニタ光の電力が得られたなら（Ｓ３３でＹＥＳ）、最適電力となるスキュー調整量を、最適なスキュー調整量として決定し（Ｓ３５）、処理を終了する。この方法では、スキュー調整用に周波数を切り替える処理が不要になる。
【００７４】
図１８は、変形例２の光送信器１０Ａの概略図である。図１の光送信器１０と同じ構成要素には同じ符号を付けて、重複する説明を省略する。
【００７５】
変形例２の光送信器１０Ａでは、制御部１９Ａから信号生成部１１に、スキュー調整用のテスト信号の設定変更の指示が供給されない。信号生成部１１Ａは、Ｉ軸の信号とＱ軸の信号として、所定のチャープ信号を出力する。信号生成部１１Ａで生成され出力されるＩ軸とＱ軸のチャープ信号は、制御の仕方に応じて、振幅と周波数の変化の仕方が同じで互いに同相のチャープ信号、または振幅と周波数の変化の仕方が同じで互いに逆相となるチャープ信号である。
【００７６】
Ｉ軸のチャープ信号とＱ軸のチャープ信号は、スキュー調整部１２に設定されているスキュー調整値でスキュー補償を受けて、Ｉ軸変調部１６１とＱ軸変調部１６２にそれぞれ入力される。Ｉ軸とＱ軸のチャープ信号の位相と、変調器１６に設定されるバイアス電圧は、最適なスキュー調整値を決定するための最適電力値をどう設定するかによって決められ、上述した制御パターン１〜４のいずれを用いてもよい。
【００７７】
変調器１６の出力光はモニタ回路１７でモニタされ、電力検出部１８でモニタ光の電力が検出される。制御部１９Ａは、入力された電力検出結果に基づいて、図１７の処理を実行して最適なスキュー調整値を決定し、決定したスキュー調整値をスキュー調整部１２に設定する。
【００７８】
図１９は、制御部１９Ａの概略ブロック図である。図９の制御部１９と同じ構成要素には同じ符号を付けて、重複する説明を省略する。制御部１９は、全体制御部１９１と、スキュー調整値設定・変更部１９２と、最終スキュー調整値決定部１９４と、スキュー調整一覧１９５を有する。スキュー調整時に、全体制御部１９１はスキュー調整一覧１９５を参照して、スキュー調整部１２にスキュー調整の初期値を設定し、所定のスキュー範囲でスキュー調整値を変化させる。スキュー調整値設定・変更部１９２は、全体制御部１９１からのスキュー調整値の設定・変更指示に応答して、スキュー範囲内でスキュー調整値を変更する。チャープ信号の場合においても、スキュー調整値は安定した電力測定が求まるまで固定される。測定すべきスキュー調整値の変更が完了したら、スキュー調整値設定・変更部１９２はスキュー調整値完了通知を全体制御部１９１に出力する。最終スキュー調整値決定部１８４で最終的に最適なスキュー調整値が決定されたときは、スキュー調整値設定・変更部１９２は全体制御部１９１の制御の下に、決定されたスキュー調整値をスキュー調整部１２に設定する。
【００７９】
最終スキュー調整値決定部１９４は、スキュー調整値設定・変更部１９２から現在のスキュー調整値の情報を受け取り、電力検出部１８から、そのスキュー調整値でのモニタ光の電力測定値を取得する。全体制御部１９１から測定完了通知を受け取ったなら、スキュー調整部１２に設定すべき最適なスキュー調整値を最終的に決定する。最適なスキュー調整値は、
制御パターン１から制御パターン4までと同等に決定することができる。最適なスキュー調整量はスキュー調整部１２に設定され、光送信器１０Ａの運用中にスキュー補償のために用いられる。変形例２の構成により、周波数の変更処理なしに最適なスキュー調整値を決定することができる。
【００８０】
この明細書と特許請求の範囲で「Ｉ軸」というときは搬送波と同相の成分を扱う「同相軸」を意味し、「Ｑ軸」というときは搬送波から９０°位相がずれた成分を扱う「直交軸」を指すものとする。「同相」の信号というときは位相が同じ信号を指し、「逆相」の信号というときは位相が１８０°反転した信号を指すものとする。
【００８１】
以上の説明につき、以下の付記を呈示する。
（付記１）
マッハツェンダ型の変調器を有する光送信器において、
前記変調器のＩ軸とＱ軸に入力される信号として、同振幅かつ同じ周波数の同相または逆相のスキュー調整用の信号を生成する信号生成部と、
前記スキュー調整用の信号にスキュー調整を与えるスキュー調整部と、
前記変調器に光を入射する光源と、
前記スキュー調整用の信号で変調されて前記変調器から出力される光をモニタするモニタ回路と、  
モニタ光の電力を検出する電力検出部と、
前記スキュー調整部のスキュー調整量を変化させながら、前記モニタ光の平均電力が最適レベルとなるときのスキュー調整量を最適なスキュー調整値として決定する制御部と、
を有することを特徴とする光送信器。
（付記２）
前記信号生成部は、複数の周波数で前記スキュー調整用の信号を生成し、
前記制御部は、前記スキュー調整部のスキュー調整量を変化させながら前記複数の周波数で前記モニタ光の平均電力を取得し、前記複数の周波数のすべてで前記最適レベルとなるときのスキュー調整量を最適なスキュー調整値として決定する、
ことを特徴とする付記１に記載の光送信器。
（付記３）
前記変調器は、Ｉ軸変調部と、Ｑ軸変調部と、位相変調部を有し、
前記位相変調部のバイアス電圧は、入力信号を変調しない状態でＩ軸を通る光とＱ軸を通る光の位相差が最小となる点に設定されており、前記Ｉ軸変調部のバイアス電圧と前記Ｑ軸変調部のバイアス電圧は、入力信号を変調しない状態でＩ軸とＱ軸の間で光位相がπラジアン反転する点に設定されており、
前記信号生成部は、振幅と周波数が同じで互いに逆相の信号を前記スキュー調整用の信号として生成し、
前記制御部は、前記モニタ光の平均電力が最大となるときのスキュー調整量を最適なスキュー調整量として決定する、
ことを特徴とする付記１に記載の光送信器。
（付記４）
前記変調器は、Ｉ軸変調部と、Ｑ軸変調部と、位相変調部を有し、
前記位相変調部のバイアス電圧は、入力信号を変調しない状態でＩ軸を通る光とＱ軸を通る光の位相差が最小となる点に設定されており、前記Ｉ軸変調部のバイアス電圧と前記Ｑ軸変調部のバイアス電圧は、入力信号を変調しない状態でＩ軸とＱ軸の間で光位相が同じになる点に設定されており、
前記信号生成部は、振幅と周波数が同じ同相の信号を前記スキュー調整用の信号として生成し、
前記制御部は、前記モニタ光の平均電力が最大となるときのスキュー調整量を最適なスキュー調整量として決定する、
ことを特徴とする付記１に記載の光送信器。
（付記５）
前記変調器は、Ｉ軸変調部と、Ｑ軸変調部と、位相変調部を有し、
前記位相変調部のバイアス電圧は、入力信号を変調しない状態でＩ軸を通る光とＱ軸を通る光の位相差が最小となる点に設定されており、前記Ｉ軸変調部のバイアス電圧と前記Ｑ軸変調部のバイアス電圧は、入力信号を変調しない状態でＩ軸とＱ軸の間で光位相がπラジアン反転する点に設定されており、
前記信号生成部は、振幅と周波数が同じ同相の信号を前記スキュー調整用の信号として生成し、
前記制御部は、前記モニタ光の平均電力が最小となるときのスキュー調整量を最適なスキュー調整量として決定する、
ことを特徴とする付記１に記載の光送信器。
（付記６）
前記変調器は、Ｉ軸変調部と、Ｑ軸変調部と、位相変調部を有し、
前記位相変調部のバイアス電圧は、入力信号を変調しない状態でＩ軸を通る光とＱ軸を通る光の位相差が最小となる点に設定されており、前記Ｉ軸変調部のバイアス電圧と前記Ｑ軸変調部のバイアス電圧は、入力信号を変調しない状態でＩ軸とＱ軸の間で光位相が同じになる点に設定されており、
前記信号生成部は、振幅と周波数が同じ互いに逆相の信号を前記スキュー調整用の信号として生成し、
前記制御部は、前記モニタ光の平均電力が最小となるときのスキュー調整量を最適なスキュー調整量として決定する、
ことを特徴とする付記１に記載の光送信器。
（付記７）
前記制御部は、第１の周波数でスキュー調整値の候補値を決定し、前記第１の周波数以外の周波数について、前記候補値の近傍で前記モニタ光の平均電力を取得し、前記複数の周波数で最適電力値となる候補値を、最適なスキュー調整値として決定する、ことを特徴とする付記２に記載の光送信器。
（付記８）
前記信号生成部は、振幅と周波数の変化の仕方が同じで互いに、同相または逆相となるチャープ信号を前記スキュー調整用の信号として生成し出力することを特徴とする付記１に記載の光送信器。
（付記９）
前記信号生成部は、振幅と周波数が同じ同相または逆相の正弦波の信号を前記スキュー調整用の信号として生成し出力することを特徴とする付記１に記載の光送信器。
（付記１０）
マッハツェンダ型の変調器を用いた光送信器のスキュー補償方法であって、
前記変調器の位相変調部のバイアス電圧を、入力信号を変調しない状態で、前記変調器のＩ軸を通る光とＱ軸を通る光の位相差が最小となる点に設定し、
前記変調器のＩ軸変調部のバイアス電圧とＱ軸変調部のバイアス電圧を、入力信号を変調しない状態でＩ軸とＱ軸の間で光位相がπラジアン反転する点に設定し、
前記変調器のＩ軸とＱ軸に、振幅と周波数が同じで互いに逆相のスキュー調整用の信号を入力し、
スキュー調整値を変化させながら前記変調器から出力されるモニタ光の電力を測定し、
前記モニタ光の平均電力が最大となるときのスキュー調整量を最適なスキュー調整量として決定する、
ことを特徴とするスキュー補償方法。
（付記１１）
マッハツェンダ型の変調器を用いた光送信器のスキュー補償方法であって、
前記変調器の位相変調部のバイアス電圧を、入力信号を変調しない状態で、前記変調器のＩ軸を通る光とＱ軸を通る光の位相差が最小となる点に設定し、
前記変調器のＩ軸変調部のバイアス電圧とＱ軸変調部のバイアス電圧を、入力信号を変調しない状態でＩ軸とＱ軸の間で光位相が同じになる点に設定し、
前記変調器のＩ軸とＱ軸に振幅と周波数が同じ同相のスキュー調整用の信号を入力し、
スキュー調整値を変化させながら前記変調器から出力されるモニタ光の電力を測定し、
前記モニタ光の平均電力が最大となるときのスキュー調整量を最適なスキュー調整量として決定する、
ことを特徴とするスキュー補償方法。
（付記１２）
マッハツェンダ型の変調器を用いた光送信器のスキュー補償方法であって、
前記変調器の位相変調部のバイアス電圧を、入力信号を変調しない状態で、前記変調器のＩ軸を通る光とＱ軸を通る光の位相差が最小となる点に設定し、
前記変調器のＩ軸変調部のバイアス電圧とＱ軸変調部のバイアス電圧を、入力信号を変調しない状態でＩ軸とＱ軸の間で光位相がπラジアン反転する点に設定し、
前記変調器のＩ軸とＱ軸に振幅と周波数が同じ同相のスキュー調整用の信号を入力し、
スキュー調整値を変化させながら前記変調器から出力されるモニタ光の電力を測定し、
前記モニタ光の平均電力が最小となるときのスキュー調整量を最適なスキュー調整量として決定する、
ことを特徴とするスキュー補償方法。
（付記１３）
マッハツェンダ型の変調器を用いた光送信器のスキュー補償方法であって、
前記変調器の位相変調部のバイアス電圧を、入力信号を変調しない状態で、前記変調器のＩ軸を通る光とＱ軸を通る光の位相差が最小となる点に設定し、
前記変調器のＩ軸変調部のバイアス電圧とＱ軸変調部のバイアス電圧を、入力信号を変調しない状態でＩ軸とＱ軸の間で光位相が同じになる点に設定し、
前記変調器のＩ軸とＱ軸に、振幅と周波数が同じで互いに逆相のスキュー調整用の信号を入力し、
スキュー調整値を変化させながら前記変調器から出力されるモニタ光の電力を測定し、
前記モニタ光の平均電力が最小となるときのスキュー調整量を最適なスキュー調整量として決定する、
ことを特徴とするスキュー補償方法。
（付記１４）
前記スキュー調整用の信号を複数の周波数で生成し、
前記スキュー調整値を変化させながら、前記複数の周波数で、前記変調器から出力される前記モニタ光の電力を測定し、
前記複数の周波数で最適電力となるスキュー調整量を前記最適なスキュー調整量として決定することを特徴とする付記１０〜１３のいずれかに記載のスキュー補償方法。
（付記１５）
第１の周波数でスキュー調整値の候補値を決定し、
前記第１の周波数以外の周波数について、前記候補値の近傍で前記モニタ光の平均電力を取得し、
前記複数の周波数で最適な平均電力となる候補値を、最適なスキュー調整値として決定する、ことを特徴とする付記１４に記載のスキュー補償方法。
（付記１６）
前記スキュー調整用の信号として、前記振幅と前記周波数の変化の仕方が同じチャープ信号を前記変調器に入力することを特徴とする付記１０〜１３のいずれかに記載のスキュー補償方法。
（付記１７）
前記スキュー調整用の信号として、前記振幅と前記周波数が同じ正弦波信号を前記変調器に入力することを特徴とする付記１０〜１３のいずれかに記載のスキュー補償方法。
【符号の説明】
【００８２】
１０、１０Ａ  光送信器
１１、１１Ａ  信号生成部
１２  スキュー調整部
１３、１４  ＤＡＣ
１５  光源
１６  変調器
１７  モニタ回路
１８  電力検出部
１９  制御部
１６１  Ｉ軸変調部
１６２  Ｑ軸変調部
１６３  位相変調部
１７１  受光素子
１７２  帯域制限フィルタ
１９１、１９１Ａ  全体制御部
１９２  スキュー調整値設定・変更部
１９３  送信周波数設定部
１９４  最終スキュー調整値決定部
１９５  スキュー調整一覧
１９６  送信周波数一覧
【図１】
2019004296.tif 000003
【図２】
2019004296.tif 000004
【図３】
2019004296.tif 000005
【図４】
2019004296.tif 000006
【図５】
2019004296.tif 000007
【図６】
2019004296.tif 000008
【図７】
2019004296.tif 000009
【図８】
2019004296.tif 000010
【図９】
2019004296.tif 000011
【図１０】
2019004296.tif 000012
【図１１】
2019004296.tif 000013
【図１２】
2019004296.tif 000014
【図１３】
2019004296.tif 000015
【図１４】
2019004296.tif 000016
【図１５】
2019004296.tif 000017
【図１６】
2019004296.tif 000018
【図１７】
2019004296.tif 000019
【図１８】
2019004296.tif 000020
【図１９】
2019004296.tif 000021